(57)【要約】【課題】安全網のシンプルで迅速な、問題を招かない製造、貯蔵、輸送能力、及び設置を可能にする、可撓性で耐摩耗性且つ耐候性の安全網を製造する方法を提供する。【解決手段】本発明は、安全網を製造する方法、安全網、及び雪崩、落石、倒れてくる木、泥滑動、土流からの保護のため、又は傾斜安定化のためのこのような安全網の使用に関する。本発明の方法において、先ず、それぞれ少なくとも１つのロープから、少なくとも第１網要素と少なくとも第２網要素とを自己完結状態で個々に製造し、そして第１網要素と第２網要素とを互いに平行に、また形成されるべき安全網の長手方向で所定の間隔を置いて配列する。次いで、少なくとも１つの結合用ロープを用いて、２つの網要素を互いに結合し、自己完結型の結合用網要素が得られるように、第１網要素と第２網要素との間に結合用ロープを案内する。【選択図】図１
2013199828.tif 000002
【特許請求の範囲】
【請求項１】
特に雪崩、落石、倒れてくる木、泥滑動、土流からの保護のため、又は傾斜安定化のための安全網（１００，２００，３００）を製造する方法であって、
−先ず、それぞれ少なくとも１つのロープ（１０４，２０４，３０４）から、少なくとも第１網要素（１０１，２０１，３０１）と、少なくとも第２網要素（１０２，２０２，３０２）とを、自己完結状態で個々に製造し、こうして製造された該網要素が、それぞれ少なくとも２つのロープ部分（１０４ａ，２０４ａ，３０４ａ及び１０４ｂ，２０４ｂ，３０４ｂ）が交差する複数のロープ接合部（１０５，１０５’，２０５，２０５’，３０５，３０５’）を有するように、前記第１網要素（１０１，２０１，３０１）及び前記第２網要素（１０２，２０２，３０２）のロープ（１０４，２０４，３０４，１０４’，２０４’，３０４’）を案内し、
−前記第１網要素（１０１，２０１，３０１）の第１網縁部（１０６，２０６，３０６）が前記第２網要素（１０２，２０２，３０２）の第２網縁部（１０６’，２０６’，３０６’）に面するように、該第１網要素（１０１，２０１，３０１）と該第２網要素（１０２，２０２，３０２）とを、互いに平行に、且つ、形成されるべき安全網（１００，２００，３００）の長手方向（Ｌ）で所定の間隔を置いて配置し、
この場合において、前記第１網要素（１０１，２０１，３０１）は、前記第１網縁部（１０６，２０６，３０６）内に配置された複数の第１ロープ縁部（１０７，２０７，３０７）を有し、
前記第１ロープ縁部は、それぞれ２つのロープ接合部（１０５，２０５，３０５）の間で延在し、前記第２網縁部（１０６’，２０６’，３０６’）に面しており、
前記第２網要素（１０２，２０２，３０２）は、前記第２網縁部（１０６’，２０６’，３０６’）内に配置された複数の第２ロープ縁部（１０７’，２０７’，３０７’）を有し、
前記第２ロープ縁部は、それぞれ２つのロープ接合部（１０５，１０５’，２０５，２０５’，３０５，３０５’）の間で延在し、前記第１網縁部（１０６，２０６，３０６）に面し、
−次いで、少なくとも１つの結合用ロープ（１０８，２０８，３０８）を用いて、前記第１網要素（１０１，２０１，３０１）の第１ロープ縁部（１０７，２０７，３０７）の少なくとも一部を、前記第２網要素（１０２，２０２，３０２）の、前記第１ロープ縁部（１０７，２０７，３０７）に面する前記第２ロープ縁部（１０７’，２０７’，３０７’）の少なくとも一部に結合し、
−それぞれ少なくとも２つの結合用ロープ部分（１０８ａ，２０８ａ，３０６ａ及び１０８ｂ，２０８ｂ，３０６ｂ）が交差する複数の結合用ロープ接合部（１０９，２０９，３０９）を有する自己完結型の結合用網要素（１０３，２０３，３０３）が得られるように、前記第１網要素（１０１，２０１，３０１）と前記第２網要素（１０２，２０２，３０２）との間に、前記少なくとも１つの結合用ロープ（１０８，２０８，３０８）を案内する、方法。
【請求項２】
少なくとも前記第１網要素（１０１，２０１，３０１）と前記第２網要素（１０２，２０２，３０２）とを、それぞれ１つのロープ（１０４，１０４’，２０４，２０４’，３０４，３０４’）から製造する、請求項１に記載の方法。
【請求項３】
前記第１網要素（１０１，２０１，３０１）と前記第２網要素（１０２，２０２，３０２）との間に、１つの結合用ロープ（１０８，２０８，３０８）を案内する、請求項１又は２に記載の方法。
【請求項４】
前記第１網要素（１０１，２０１，３０１）及び前記第２網要素（１０２，２０２，３０２）のロープ縁部（１０７，１０７’，２０７，２０７’，３０７，３０７’）の各々と、前記結合用ロープ（１０８，２０８，３０８）との結合を、ルーピングにより、溶接により、ガイド手段を用いて、および／又は、クランプ手段を用いて、実現する、請求項１から３までのいずれか１項に記載の方法。
【請求項５】
前記第１網要素（１０１，２０１，３０１）の第１網縁部（１０６，２０６，３０６）、及び／又は前記第２網要素（１０２，２０２，３０２）の第２網縁部（１０６’，２０６’，３０６’）は、前記結合用網要素（１０３，２０３，３０３）の結合用ロープ（１０８，２０８，３０８）に対して運動可能である、請求項１から４までのいずれか１項に記載の方法。
【請求項６】
前記第１網要素（１０１，２０１，３０１）のロープ（１０４，２０４，３０４）の端部、前記第２網要素（１０２，２０２，３０２）のロープ（１０４’，２０４’，３０４’）の端部、および、結合用網要素（１０３，２０３，３０３）の結合用ロープ（１０８，２０８，３０８）の端部の少なくとも一方を、それぞれ向き合わせ、永久結合手段（１１２，２１２）、好ましくはクランプによって、自己完結する、請求項１から５までのいずれか１項に記載の方法。
【請求項７】
前記ロープ接合部（１０５，１０５’，２０５，２０５’，３０５，３０５’）の少なくとも一部に位置する、前記ロープ（１０４，１０４’，２０４，２０４’，３０４，３０４’）の交差ロープ部分（１０４ａ，１０４ａ’，２０４ａ，２０４ａ’，３０４ａ，３０４ａ’及び１０４ｂ，１０４ｂ’，２０４ｂ，２０４ｂ’，３０４ｂ，３０４ｂ’）、及び／又は前記結合用ロープ接合部（１０９，２０９，３０９）の少なくとも一部に位置する、前記結合用ロープ（１０８，２０８，３０８）の交差ロープ部分（１０８ａ，１０８ｂ，２０８ａ，２０８ｂ，３０８ａ，３０８ｂ）を、溶接及び／又はポッティングによって、及び／又はフェルールによって、及び／又はクランプ、具体的にはスターラップクランプ及び／又はクロス・クランプ（１１３，１１４，２１３，２１４，３１３，３１４）によって、結合する、請求項１から６までのいずれか１項に記載の方法。
【請求項８】
前記網要素（１０１，２０１，３０１，１０２，２０２，３０２）及び／又は前記結合用網要素（１０３，２０３，３０３）の製造のために、鋼、好ましくは亜鉛メッキ鋼から成るワイヤロープを使用する、請求項１から７までのいずれか１項に記載の方法。
【請求項９】
前記第１網要素（１０１，２０１，３０１）と前記第２網要素（１０２，２０２，３０２）とを、サイズ及び形状に関して同一構造で製造する、請求項１から８までのいずれか１項に記載の方法。
【請求項１０】
前記第１網要素（１０１，２０１，３０１）と、前記第２網要素（１０２，２０２，３０２）と、前記結合用網要素（１０３，２０３，３０３）とを、サイズ及び形状に関して同一構造で製造する、請求項９に記載の方法。
【請求項１１】
製造された前記網要素の各々が、前記安全網（１００）の長手方向（Ｌ）に複数行（Ｒ）のロープ接合部（１０５，１０５’）を有し、前記安全網（１００）の長手方向（Ｌ）に対して直角に延びる横方向（Ｑ）に複数列（Ｓ）のロープ接合部（１０５，１０５’）を有するように、前記第１網要素（１０１）及び前記第２網要素（１０２）のロープ（１０４，１０４’）を案内し、
前記安全網（１００）の横方向（Ｑ）に配置された１つの列（Ｓ）の結合用ロープ接合部（１０９）を有する自己完結型の結合用網要素（１０３）が得られるように、前記第１網要素（１０１）と前記第２網要素（１０２）との間に、前記少なくとも１つの結合用ロープ（１０８）を案内する、請求項１から９までのいずれか１項に記載の方法。
【請求項１２】
製造された前記網要素の各々が、前記安全網（２００）の長手方向（Ｌ）に対して直角に配置された横方向（Ｑ）に配置された１つの列（Ｓ）のロープ接合部（２０５，２０５’）を有するように、前記第１網要素（２０１）及び前記第２網要素（２０２）のロープ（２０４，２０４’）を案内し、
前記安全網（２００）の横方向（Ｑ）に配置された１つの列（Ｓ）の結合用ロープ接合部（２０９）を有する自己完結型の結合用網要素（２０３）が得られるように、前記第１網要素（２０１）と前記第２網要素（２０２）との間に、前記少なくとも１つの結合用ロープ（２０８）を案内する、請求項１から１０までのいずれか１項に記載の方法。
【請求項１３】
製造された前記網要素の各々が前記安全網（３００）の長手方向（Ｌ）に複数行（Ｒ）のロープ接合部（３０５，３０５’）を有し、前記安全網（３００）の長手方向（Ｌ）に対して直角に延びる横方向（Ｑ）に複数列（Ｓ）のロープ接合部（３０５，３０５’）を有するように、前記第１網要素（３０１）及び前記第２網要素（３０２）のロープ（３０４，３０４’）を案内し、
前記安全網（３００）の長手方向（Ｌ）に配列された複数行（Ｒ）を有する自己完結型の結合用網要素（３０３）と、前記安全網の横方向（Ｑ）に配列された複数列（Ｓ）の結合用ロープ接合部（３０９）とが得られるように、前記第１網要素（３０１）と前記第２網要素（３０２）との間に、前記少なくとも１つの結合用ロープ（３０８）を案内する、請求項１から１０までのいずれか１項に記載の方法。
【請求項１４】
特に雪崩、落石、倒れてくる木、泥滑動、土流からの保護のため、又は傾斜安定化のための安全網（１００，２００，３００）であって、
少なくとも第１網要素（１０１，２０１，３０１）と、
少なくとも第２網要素（１０２，２０２，３０２）と、
少なくとも１つの結合用網要素（１０３，２０３，３０３）と、から構成され、
ａ）前記第１網要素（１０１，２０１，３０１）は、
それぞれ少なくとも１つのロープ（１０４，２０４，３０４）から自己完結状態で個々に製造され、且つ、
それぞれ少なくとも２つのロープ部分（１０４ａ，２０４ａ，３０４ａ及び１０４ｂ，２０４ｂ，３０４ｂ）が交差する複数のロープ接合部（１０５，２０５，３０５）を有し、
ｂ）前記第２網要素（１０２，２０２，３０２）は、
それぞれ少なくとも１つのロープ（１０４’，２０４’，３０４’）から自己完結状態で個々に製造され、
それぞれ少なくとも２つのロープ部分（１０４ａ’，２０４ａ’，３０４ａ’及び１０４ｂ’，２０４ｂ’，３０４ｂ’）が交差する複数のロープ接合部（１０５’，２０５’，３０５’）を有し、且つ、
前記第１網要素（１０１，２０１，３０１）の第１網縁部（１０６，２０６，３０６）が前記第２網要素（１０２，２０２，３０２）の第２網縁部（１０６’，２０６’，３０６’）に面するように、前記第１網要素（１０１，２０１，３０１）に対して平行に、前記安全網（１００，２００，３００）の長手方向（Ｌ）で所定の間隔を置いて配置されており、
前記第１網要素（１０１，２０１，３０１）は、前記第１網縁部（１０６，２０６，３０６）内に配置された複数の第１ロープ縁部（１０７，２０７，３０７）を有しており、
前記第１ロープ縁部は、それぞれ２つのロープ接合部（１０５，２０５，３０５）の間で延在し、前記第２網縁部（１０６’，２０６’，３０６’）に面しており、
前記第２網要素（１０２，２０２，３０２）は、前記第２網縁部（１０６’，２０６’，３０６’）内に配置された複数の第２ロープ縁部（１０７’，２０７’，３０７’）を有し、
前記第２ロープ縁部は、それぞれ２つのロープ接合部（１０５’，２０５’，３０５’）の間で延在し、前記第１網縁部（１０６，２０６，３０６）に面しており、
ｃ）前記結合用網要素（１０３，２０３，３０３）は、
それぞれ少なくとも１つの結合用ロープ（１０８，２０８，３０８）から自己完結状態で製造され、
それぞれ少なくとも２つの結合用ロープ部分（１０８ａ，２０８ａ，３０８ａ及び１０８ｂ，２０８ｂ，３０８ｂ）が交差する複数の結合用ロープ接合部（１０９，２０９，３０９）を有し、
少なくとも１つの結合用ロープ（１０８，２０８，３０８）を用いて、前記第１網要素（１０１，２０１，３０１）の第１ロープ縁部（１０７，２０７，３０７）の少なくとも一部は、前記第１網要素（１０１，２０１，３０１）の前記第１ロープ縁部（１０７，２０７，３０７）に面する、前記第２網要素（１０２，２０２，３０２）の前記第２ロープ縁部（１０７’，２０７’，３０７’）の少なくとも一部に結合されている、安全網。
【請求項１５】
雪崩、落石、倒れてくる木、泥滑動、土流からの保護のため、又は傾斜安定化のための、請求項１４に記載の安全網（１００，２００，３００）の使用。
【発明の詳細な説明】
【技術分野】
【０００１】
本発明は、安全網を製造する方法、安全網、及び雪崩、落石、倒れてくる木、泥滑動、土流からの保護のため、又は傾斜安定化のためのこのような安全網の使用に関する。
【背景技術】
【０００２】
上述のタイプの安全網は、例えば、落石、倒れてくる木、雪崩、又はこれに類するものを安全に捕捉するように、斜面上にこのような目的で設置される。
【０００３】
このような安全網は例えば欧州特許第０  ９７９  ３２９号明細書に基づいて公知である。これらの安全網の場合、個々のワイヤストランド、ワイヤロープ、又はワイヤ束から、首尾一貫したメッシュネットが編み出されている。これらのワイヤネットは、いつでも設置できるように製造され、次いで貯蔵及び輸送のために巻き上げられる。従って、このためには比較的大きいスペースが必要になる。更なる欠点は、巻き上げられた状態にあるプレハブ式の網は緊張下にあるので、網ロールが開かれると爆発的に展開するという事実から成る。このような網ロールが特にヘリコプターによる輸送中に誤ってほどけてきて開いた場合、このことは重大な危険を招く。さらに設置現場においてでさえ、網ロールの開放は上記理由から、設置者の高い負傷リスクを招く。
【０００４】
輸送及び設置の理由から、特に山岳地域では、このような安全網の重量にはかなりの重要性が伴う。それというのも、これらは道のない地勢における接近しにくい場所にしばしば設置しなければならず、また、ヘリコプターを使用して設置しなければならないことがしばしばあるからである。特に高い耐荷重能力を有するワイヤロープ安全網を製造するために太いワイヤロープを使用する場合、完全プレハブ式網が嵩高であることに基づいて輸送がより困難になる。
【発明の概要】
【発明が解決しようとする課題】
【０００５】
従って本発明の目的は、安全網のシンプルで迅速な、そして問題を招かない製造、貯蔵、輸送能力、及び設置を可能にする、冒頭で述べたタイプの、可撓性で耐摩耗性且つ耐候性の安全網を製造する方法を提供することである。
【課題を解決するための手段】
【０００６】
この目的は、安全網を製造するための請求項１に記載された本発明の方法、請求項１４に記載されたこの種類の安全網によって達成される。好ましい実施態様は従属項に記載されている。
【０００７】
安全網を製造する本発明の方法は、以下の工程を含む：
−  先ず、それぞれ少なくとも１つのロープから、少なくとも第１網要素と少なくとも第２網要素とを自己完結状態で個々に製造する。こうして製造された網要素が、それぞれ２つのロープ部分が交差する複数のロープ接合部を有するように、第１網要素及び第２網要素のロープを案内する。
−  第１網要素の第１網縁部が第２網要素の第２網縁部に面するように、第１網要素と第２網要素とを互いに平行に、また形成されるべき安全網の長手方向で所定の間隔を置いて配列する。第１網要素は、第１網縁部内に配列された複数の第１ロープ縁部を有しており、第１ロープ縁部はそれぞれ２つのロープ接合部の間で延びていて、第２網縁部に面しており、そして第２網要素は、第２網縁部内に配列された複数の第２ロープ縁部を有しており、第２ロープ縁部はそれぞれ２つのロープ接合部の間で延びていて、第１網縁部に面している。
−  次いで、少なくとも１つの結合用ロープを用いて、第１網要素の第１ロープ縁部の少なくとも一部を、第２網要素の、第１ロープ縁部に面する第２ロープ縁部の少なくとも一部に結合する。
それぞれ２つの結合用ロープ部分が交差する複数の結合用ロープ接合部を有する自己完結型の結合用網要素が得られるように、第１網要素と第２網要素との間に少なくとも１つの結合用ロープを案内する。
【発明の効果】
【０００８】
本発明の方法は、雪崩、落石、倒れてくる木、泥滑動、土流からの保護のため、又は傾斜安定化のための安全網をシンプルに製造するのを可能にする。
【０００９】
典型的には、このような安全網は道のない地勢に輸送し、そして難しい設置条件下でそこに設置しなければならない。本発明の方法は、個々の網要素を個々に製造し、貯蔵し、そして輸送できるので特に有利である。従って、広く重い、そして嵩高な網を輸送する必要はなく、個々の網要素を輸送すること、そして設置現場、又は少なくともその近くで安全網を完成させることが可能である。
【００１０】
本発明の方法はもちろん、結合用網要素によって結合された２つの網要素だけから成る網の製造に限定されることはなく、本発明の意味において、２つの網要素間に配列されたそれぞれの結合用網要素によって、任意の数の網要素を結合することができる。本発明の方法はこうして、必要に応じて安全網のサイズをシンプルに適応させることを可能にする。すなわち、安全網の長さを一方では、個々に製造された網要素及び／又は結合用網要素の長さを介して変化させることができ、また他方では、結合用網要素によって互いに結合された所定数の網要素を介して変化させることができる。本発明の方法によって、既存のプレハブ式網を付加的な網要素で改造することができる。
【００１１】
ここで述べておくべきことは、本発明によれば、個々の網要素及び／又は結合用網要素は同じ高さを必ずしも有していなくてよいことである。網要素又は結合用網要素の高さはここでは、安全網の長手方向に対して横方向の方向と見なされる。この点において、網要素及び／又は結合用網要素が安全網の長手方向において、同数の行の接合部を有することは重要ではない。これにより、網要素及び／又は結合用網要素の高さに関するものを含めて、局地的条件に特異的に適応し得る安全網を製造することが本発明によって可能になる。
【００１２】
本発明の方法に従って製造された安全網の更なる利点は、個々の損傷した網要素全体を取り除き、そして新しい交換用網要素を既存の安全網に対して平行に、所定の間隔を置いて配置することによって、損傷した網要素を新しい網要素と交換し得るので、本発明の方法による交換網要素を既存の安全網に結合できるという事実にある。同様に、本発明の方法によって、既存の安全網を付加的な網要素で改造することもできる。さらに、保持・締め付け用ロープを、更なる結合手段なしに、網内に直接に手繰り込むことによって行うことができ、このことは材料及び重量の低減を可能にする。一般に、このような安全網は上縁及び下縁で支持用ロープに締め付けられる。
【００１３】
特に本発明の安全網の網要素及び結合用網要素が関節状に連結する場合、網要素、及び安全網の実施態様によれば、場合によっては結合用網要素も、ジグザグ・パターンを成すように折り畳んで互いに上下に重ねることができ、支持用ロープを折り畳まれた網内に直接に導入することが可能になる。これにより、特に限定された空間条件下で地勢内に設置することがかなり容易になる。それというのも、締め付け用ロープを取り付けるために網を長さ方向で広げる必要がないからである。
【００１４】
本発明の網製造は、ライン製造であることも可能であり、安全網の手動製造、及び部分自動又は全自動製造の両方を可能にする。
【００１５】
本発明の好ましい実施態様によれば、少なくとも第１網要素及び第２網要素を、それぞれただ１つのロープから製造する。ロープ、又は結合用ロープの２つの端部の結合は好ましくは、２つの向き合わされたロープ端部がオーバーラップ領域内で、好ましくはプレス・クランピング、溶接、又はポッティングによって結合されるように実現される。２つのロープ端部が向き合って結合されるという事実は、これらが大きい引張り力を吸収することもでき、網要素が特に安定であることを意味する。
【００１６】
本発明の好ましい実施態様の場合、ただ１つの結合用ロープを第１網要素と第２網要素との間に案内する。上記のように、第１網要素のそれぞれの第１ロープ縁部の少なくとも一部を、第２網要素の、第１ロープ縁部と向き合って位置する第２ロープ縁部の少なくとも一部に結合する。
【００１７】
第１網要素及び第２網要素のそれぞれのロープ縁部と、結合用ロープとの結合は、結合されたロープ縁部のそれぞれのロープ接合部間にそれぞれ位置する結合点で実現される。具体的には第１網要素及び第２網要素のそれぞれのロープ部分と結合用ロープとの結合は好ましくは、ルーピング及び／又は溶接によって、且つ／又はガイド手段を用いて、且つ／又はクランピング手段を用いて実現される。クランピング手段とは異なり、ロープはガイド手段内ではクランプされず、単に案内されるだけである。すなわち、ガイド手段は２つのそれぞれの結合されたロープ部分に沿って変位可能である。これに関しては、ガイド手段がロープ部分に固定され、結合されるべき他方のロープ部分に沿ってのみ変位可能であるようにガイド手段を形成することももちろん可能である。ガイド手段としては、例えばスリーブ又はリングを使用することができる。クランピング手段に関しては、具体的にはクロス・クランプ、スターラップ・クランプ、又はフェルールを周知の形式で使用することができる。
【００１８】
ルーピングによって、又はガイド手段によって第１網要素及び第２網要素のそれぞれのロープ縁部と、結合用ロープとを結合することが特に好ましい。それというのも、これは、結合点領域内で網要素と結合用網要素との関節状の結合を可能にするからである。このような関節状の結合は、安全網の長手方向に対して横方向に安全網をジグザグ様に折り合わせること及び／又は巻き上げることを可能にする。このことは安全ネットの貯蔵及び輸送をかなり容易にする。
【００１９】
ループ縁部と結合用ロープとを溶接又はルーピングする場合、ここでもまた材料を節減することができる。それというのも付加的な結合手段が必要とならないからである。既に述べたように、特に山岳地域に使用される場合に安全網の重量低減は輸送及び設置の理由から有益であるため、このことは特に有利である。
【００２０】
本発明の特に好ましい実施態様によれば、第１網要素の全ての第１ロープ縁部を、第２網要素の全ての第２ロープ縁部に、少なくとも１つの結合用ロープを用いて結合する。
【００２１】
本発明の別の好ましい実施態様によれば、第１網要素の第１網縁部、及び／又は第２網要素の第２網縁部は、結合用網要素の結合用ロープに対して運動可能である。このことは、それぞれのロープ縁部が、２つのそれぞれのロープ接合部の間で結合用ロープに沿って変位可能であるか、或いは少なくとも関節状に結合されていることを意味する。
【００２２】
結合用ロープに対する網縁部のこの可動性は、具体的には安全網内の重い動荷重の吸収に際して発生した応力が理想的に分布されるのを可能にする。衝突荷重の局部的な力作用はこれにより全ての方向に均一に分配することができる。このことは特に高いエネルギー又は力の吸収能力を保証する。網縁部の上記可動性はまた、安全網に特に高い可撓性をもたらす。このことは、安全網が荷重を吸収すると、重量の引張り方向において塑性変形することができ、ひいては荷重の衝突時に発生する高い運動エネルギーを散逸させ得ることである。さらに、結合用ロープに対する網縁部の可動性は、地勢の性質に対する網の適応性をより大きくすることができる。
【００２３】
上記特徴に基づいて、ルーピングによってロープ縁部を結合用ロープに結合することは、一方では結合用ロープに対して網縁部を可動にするので、そして他方では重量を低減するので特に好ましい。上述のように、網要素はこれにより、ジグザグ・パターンを成すように折り畳んで互いに上下に重ねることができる。こうして折り畳まれた安全網がより容易に輸送可能になる利点を別にして、支持用又は締め付け用のロープを折り畳まれた網内に直接に導入することができる。このことはかなりのスペース節減をもたらす。それというのも、製造及び設置の両方において網を長さ方向で広げる必要がなく、ひいてはカバーしなければならない距離が大幅に小さくなるからである。
【００２４】
本発明の好ましい実施態様によれば、第１網要素のロープの端部、及び第２網要素のロープ、及び結合用網要素の結合用ロープの端部はそれぞれ互いに向き合って配列されていて、永久結合手段によって自己完結されている。永久結合手段は、好ましくはスターラップ・クランプ又はフェルールによって実現される。或いは、結合手段は、ノッティング、溶接、ポッティングによって、又はフェルールによって周知の形式で実現することもできる。
【００２５】
ロープ及び／又は結合用ロープの交差ロープ部分が接合部で安定化されることによって、安全網の安全性を高めることができる。好ましい実施態様では、従って、ロープ及び／又は結合用ロープの交差ロープ部分を接合部において、クランプ、フェルール、ガイド手段によって、且つ／又は溶接又はポッティングによって結合する。スターラップ・クランプ又はクロス・クランプによる結合がこれに関して特に好ましい。安全網の安定性を高めるためには、ロープ及び／又は結合用ロープの交差ロープ部分の一部だけを接合部において結合すれば十分である。例えば、それぞれのロープ部分の結合が１接合部おきにのみ実現されることが可能である。これに関しては、スイス国特許第６９８  ３０５号明細書が参照される。この内容はこれにより本明細書中に組み込まれる。
【００２６】
安定性及び耐候性を高めるために、網要素及び／又は結合用網要素の製造に際して鋼ワイヤロープを使用することが好ましい。利用分野に応じて、プラスチック・ロープを使用することも考えられる。ワイヤロープを使用する場合には、これらの可撓性、及びこれに伴う剛性、並びに耐食性を考慮すべきなので、具体的には好ましい太さ６〜１２ｍｍの亜鉛メッキ鋼ロープを使用するのが好ましい。複数のねじれロープストランドから成るワイヤロープ又は鋼ロープが一般には使用されるが、適当な太さの１つの個々の鋼ワイヤを使用することも考えられる。同様に、ワイヤロープは、保護のために、例えばプラスチックから成る保護ケーシングを備えることもできる。
【００２７】
安全網の低重量が特に重要な場合には、合成繊維又は天然繊維から形成されたロープをアミノ製造のために使用することもできる。
【００２８】
本発明の好ましい実施態様によれば、第１網要素と第２網要素とを、これらの高さ及び形状に関して同一構造で製造する。このことは、２つの網要素が安全網の長手方向において、等しい行数の接合部を有することを意味する。第１網要素と第２網要素との平行な配列、並びにこれらのそれぞれの縁部ロープ要素の、結合用ロープを用いた結合が、これにより容易になる。安全網の横方向において、第１網要素の接合部の列数は、この実施態様では第２網要素と同じである必要はない。２つの網要素は従って長さが異なっていてよい。このことは、既存の安全網を特定の長さだけ延長しなければならない場合に特に有利である。この事例では、例えば第２網要素は長さに関して、既存の安全網を丁度所望の延長分だけ拡張するように製造することができる。
【００２９】
本発明の更なる好ましい実施態様によれば、第１網要素と第２網要素とを、サイズ及び形状に関して同一構造で製造する。網要素又は安全網のサイズは、安全網の長手方向におけるそれぞれの長さによって、そして安全網の長手方向に対して直角を成して延びる横方向におけるそれぞれの高さによって固定される。本発明の意味において、このことは、第１網要素及び第２網要素が、安全網の長手方向において同じ長さを有し、また安全網の横方向において同じ高さを有することを意味する。具体的には、第１網要素及び第２網要素は長手方向において等しい行数の接合部を有していて、また安全網の横方向において等しい列数の接合部を有している。これにより、第１網要素と第２網要素とを構造に関して互いに適合し、これらのそれぞれのロープ縁部を結合用ロープを用いて安定に結合し得ることが保証される。
【００３０】
好ましくは、第１網要素及び第２網要素はまた、同じ材料から、そして同じ製造方法によって製造される。これにより製造過程を単純化することができ、必要な場合には半自動的又は全自動的に実現することもできる。
【００３１】
本発明の特に好ましい実施態様によれば、第１網要素及び第２網要素を別にして、結合用網要素も形状に関して同一構造で製造する。このような安全網は規則的な形状を有しており、反復する、構造的に同一の網単位及び結合用網要素から成っている。
【００３２】
網要素及び結合用網要素に関しては、方形から多角形までの種々様々なサイズ及び形状が考えられる。２つのそれぞれの接合部間のロープ部分の長さ、ひいては接合部間に形成された「メッシュ」の幅も自由に選ぶことができる。このように、安全網は必要に応じて、微細メッシュ型及び／又は広幅メッシュ型の網要素、又は結合用網要素から製造することができる。
【００３３】
本発明の好ましい実施態様によれば、こうして製造された網要素のそれぞれが安全網の長手方向に複数行のロープ接合部を有し、そして安全網の長手方向に対して直角に延びる横方向に複数列のロープ接合部を有するように、第１網要素及び第２網要素のロープを案内し、そして安全網の横方向に配列されたただ１つの列の結合用ロープ接合部を有する自己完結型の結合用網要素が得られるように、第１網要素と第２網要素との間に少なくとも１つの結合用ロープを案内する。
【００３４】
この実施態様では、プレハブ式網要素は所定の長手方向の広がりを有する。従って、短時間内でより長い網を製造することが可能である。網を既存のプレハブ式網として好ましい形式で輸送しようとする場合、特に網要素のロープ縁部が結合用ロープに（例えばルーピングによって）関節状に結合されているならば、網の長手方向に対して横方向にプレハブ式網を輸送用にジグザグ・パターン、例えば「コンサーティーナ」タイプのパターンを成すように、折り合わせることも可能である。このようにして、個々の網要素がほとんど応力なしに、互いに上下に、又は互いに当接した状態で支持し合うようなスタックを形成することができる。設置中、支持用ロープが、折り畳まれた網内に直接に導入される。これにより、特に限定された空間条件下で地勢内に設置することがかなり容易になる。それというのも、締め付け用ロープを取り付けるために網を長さ方向で広げる必要がないからである。
【００３５】
設置現場へ輸送して初めて網を完成させる場合、上記の実施態様は、一方では個々の網要素の容易な輸送を可能にし、そして他方では迅速な現場製造を可能にする。それというのも、網要素が結合されたら、結合用網要素を快適に現場でのみ製造することができ、ひいてはプレハブ式のより広幅の網要素を用いて、より長い網を迅速に製造することができるからである。
【００３６】
本発明の更なる好ましい実施態様によれば、こうして製造された網要素のそれぞれが安全網の長手方向に対して直角に延びる、安全網の横方向に配列されたただ１つの列のロープ接合部を有するように、第１網要素及び第２網要素のロープを案内し、そして安全網の横方向に配列されたただ１つの列の結合用ロープ接合部を有する自己完結型の結合用網要素が得られるように、第１網要素と第２網要素との間に少なくとも１つの結合用ロープを案内する。
【００３７】
ここでもういちど述べておくが、本発明の方法は、結合用網要素によって結合された２つの網要素だけから成る網の製造に限定されることはなく、本発明の意味において、２つの網要素間に配列されたそれぞれの結合用網要素によって、任意の数の網要素を結合することができる。
【００３８】
この実施態様では、個々の網要素がただ１つの列のロープ接合部を有しているので、これらのサイズ及び重量は、複数の行及び列のロープ接合部を有する網要素と比較して、著しく小さい。
【００３９】
上記実施態様では、具体的には網要素のそれぞれのロープ縁部と結合用ロープとの関節状の結合（例えば結合用ロープを網要素のそれぞれのロープ縁部でルーピングすることによる結合）が特に好ましい。それというのも、これは工場で製作されるプレハブ式網が密に巻き上げられること、又は個々の網要素及び結合用網要素が輸送のためにジグザグ・パターンを成して折り合わされて、互いに上下に積み重ねられることを可能にするからである。
【００４０】
網が設置現場でのみ完成される場合、上記実施態様の利点は、網要素及び結合用網要素を特に良好に積み重ね、貯蔵し、そして輸送し得ることである。さらに、網要素及び結合用網要素の長手方向の広がりが小さいので、網の長さを設置現場で正確に適応させることができる。
【００４１】
こうして製造された網要素のそれぞれが安全網の長手方向に複数行のロープ接合部を有し、そして安全網の長手方向に対して直角に延びる横方向に複数列のロープ接合部を有するように、第１網要素及び第２網要素のロープを案内し、そして安全網の長手方向に配列された複数行を有する自己完結型の結合用網要素と、安全網の横方向に配列された複数列の結合用ロープ接合部とが得られるように、第１網要素と第２網要素との間に少なくとも１つの結合用ロープを案内する。
【００４２】
この上記実施態様では、網要素及び結合用網要素の双方は所定の長さを有している。従って、完成が工場で行われるか、又は設置現場で行われるかにかかわらず、短時間内でより長い網を製造することが可能である。
【００４３】
この実施態様でも、具体的には網要素のそれぞれのロープ縁部と結合用ロープとの関節状の結合（例えば結合用ロープを網要素のそれぞれのロープ縁部でルーピングすることによる結合）が特に好ましい。それというのも、個々の網要素及び結合用網要素が輸送のためにジグザグ・パターンを成して折り合わされて、互いに上下に積み重ねられることを可能にするからである。
【００４４】
安全ネットが設置現場でのみ完成される場合、上記実施態様では、網要素及び結合用網要素の両方は好ましくは、既にプレハブ式に製作された状態で設置現場へ輸送される。網要素のそれぞれのロープ縁部と結合用ロープとの結合はこの場合、溶接によって、且つ／又はガイド手段を用いて、且つ／又はクランピング手段を用いて実現される。
【００４５】
更なる態様において、本発明はまた、請求項１から１３までのいずれか１項に記載の本発明の方法によって製造された安全網に関する。
【００４６】
更なる態様において、本発明は、具体的には雪崩、落石、倒れてくる木からの保護のための安全網であって、
ａ）  少なくとも第１網要素と、
ｂ）  少なくとも第２網要素と、
ｃ）  少なくとも１つの結合用網要素と
から成る安全網に関する。
【００４７】
本発明に基づく安全網は下記特徴によって特徴づけられる。
【００４８】
第１網要素は、少なくとも１つのロープから自己完結状態で個々に製造されていて、そしてそれぞれ少なくとも２つのロープ部分が交差する複数のロープ接合部を有している。
【００４９】
第２網要素も、少なくとも１つのロープから自己完結状態で個々に製造されていて、そして同様にそれぞれ少なくとも２つのロープ部分が交差する複数のロープ接合部を有している。第２網要素は、第１網要素の第１網縁部が第２網要素の第２網縁部に面するように、第１網要素に対して平行に、また安全網の長手方向で所定の間隔を置いて配列されている。
【００５０】
さらに、第１網要素は、第１網縁部内に配列された複数の第１ロープ縁部を有しており、第１ロープ縁部はそれぞれ２つのロープ接合部の間で延びていて、第２網縁部に面している。
【００５１】
加えて、第２網要素は、第２網縁部内に配列された複数の第２ロープ縁部を有しており、第２ロープ縁部はそれぞれ２つのロープ接合部の間で延びていて、第１網縁部に面している。
【００５２】
結合用網要素は、少なくとも１つの結合用ロープから自己完結状態で製造されていて、そしてそれぞれ少なくとも２つの結合用ロープ部分が交差する複数の結合用ロープ接合部を有している。
【００５３】
網要素、又は網要素及び結合用ロープは好ましくは、それぞれ実質的に平面状の網構造を形成している。
【００５４】
少なくとも１つの結合用ロープを用いて、第１網要素の第１ロープ縁部の少なくとも一部が、第１網要素の第１ロープ縁部に面する、第２網要素の第２ロープ縁部の少なくとも一部に結合されている。
【００５５】
少なくとも１つの結合用ロープを用いて、第１網要素の全ての第１ロープ縁部が、第２網要素の全ての第２ロープ縁部に結合されていることが好ましい。
【００５６】
本発明の安全網は、これが個々に製造し、貯蔵し、そして輸送し得る個々の網要素から成っているので特に有利である。従って、安全網は必要に応じて、製造現場又は設置現場で完成させることができる。
【００５７】
さらに、安全網のサイズは必要に応じて適応させることができる。すなわち、安全網の高さ及び長さを一方では、個々に製造された網要素及び／又は結合用網要素の高さ及び長さを介して変化させることができ、また他方では、結合用網要素によって互いに結合された所定数の網要素を介して変化させることができる。製造済みの状態では、網は付加的な網要素を用いて改造することができ、或いは損傷した網要素を交換することもできる。
【００５８】
さらに、保持・締め付け用ロープを、更なる結合手段なしに、網内に直接に手繰り込むことによって行うことができ、このことは材料及び重量の低減を可能にする。
【００５９】
本発明の方法の上記の好ましい実施態様によって得られる安全網の実施態様は、本発明の安全網のための好ましい実施態様と見なすこともできる。
【００６０】
更なる態様において、本発明はまた、雪崩、落石、倒れてくる木、泥滑動、土流からの保護のため、又は傾斜安定化のための、本発明の安全網の使用に関する。
【００６１】
本発明の安全網の使用は、その構成部分を容易に、迅速に、そして問題なしに製造し、貯蔵し、そして輸送することができるので特に有利であり、この安全網は道のない地勢にさえ設置することができる。本発明の安全網の構造はさらに、重度に摩耗した網要素を、これを目的として網全体を取り外す必要なしに交換するのを可能にする。
【００６２】
本発明の安全網は、雪崩、落石、倒れてくる木、泥滑動、土流からの保護のため、又は傾斜安定化のための安全網として適している。それというのも、その可撓性により、落下する大きな荷重の巨大な力が動的に吸収されるからである。さらに、安全網のために使用される材料は、特定の環境の影響に適応させ得るので、安全網は特に耐候性且つ耐食性である。
【００６３】
本発明を以下の例において説明する。但し、これらの例は制限的なものではない。
【図面の簡単な説明】
【００６４】
【図１】図１は、第１網要素と第２網要素と結合用網要素とから成る本発明の安全網の第１実施態様を示す純粋に概略的な図であって、この実施態様では、第１網要素と第２網要素とは、サイズ及び形状に関して同一構造を成して製造されている。
【図２】図２は、本発明の安全網の第２実施態様を示す純粋に概略的な図であって、この実施態様では、第１網要素と第２網要素と結合用網要素とは、サイズ及び形状に関して同一構造を成して製造されている。
【図３】図３は、本発明の安全網の第３実施態様を示す純粋に概略的な図であって、この実施態様では、第１網要素と第２網要素と結合用網要素とは、サイズ及び形状に関して同一構造を成して製造されている。
【発明を実施するための形態】
【００６５】
図１〜３に示された本発明の安全網の全ての実施態様において、下記特徴が実現される：
【００６６】
本発明の安全網１００，２００，３００は第１網要素１０１，２０１，３０１と、第２網要素１０２，２０２，３０２と、結合用網要素１０３，２０３，３０３とから成っている。
【００６７】
少なくとも第１網要素１０１，２０１，３０１は、ただ１つのロープ１０４，２０４，３０４から個々に製造されていて、そしてそれぞれ２つのロープ部分１０４ａ，２０４ａ，３０４ａ及び１０４ｂ，２０４ｂ，３０４ｂが交差する複数のロープ接合部１０５，２０５，３０５を有している。同様に、第２網要素１０２，２０２，３０２も、ただ１つのロープ１０４’，２０４’，３０４’から自己完結状態で個々に製造されていて、そしてそれぞれ２つのロープ部分１０４ａ’，２０４ａ’，３０４ａ’及び１０４ｂ’，２０４ｂ’，３０４ｂ’が交差する複数のロープ接合部１０５’，２０５’，３０５’を有している。
【００６８】
第２網要素１０２，２０２，３０２は、第１網要素１０１，２０１，３０１の第１網縁部１０６，２０６，３０６が第２網要素１０２，２０２，３０２の第２網縁部１０６’，２０６’，３０６’に面するように、第１網要素１０１，２０１，３０１に対して平行に、また安全網１００の長手方向Ｌで所定の間隔を置いて配列されている。
【００６９】
さらに、第１網要素１０１，２０１，３０１は、第１網縁部１０６，２０６，３０６内に配列された複数の第１ロープ縁部１０７，２０７，３０７を有しており、第１ロープ縁部はそれぞれ２つのロープ接合部１０５，２０５，３０５の間で延びていて、第２網縁部１０６’，２０６’，３０６’に面している。
【００７０】
第２網要素１０２，２０２，３０２も同様に、第２網縁部１０６’，２０６’，３０６’内に配列された複数の第２ロープ縁部１０７’，２０７’，３０７’を有しており、第２ロープ縁部はそれぞれ２つのロープ接合部１０５’，２０５’，３０５’の間で延びていて、第１網縁部１０６，２０６，３０６に面している。
【００７１】
第１ロープ縁部１０７，２０７，３０７は従って、第１網要素１０１，２０１，３０１のそれぞれ２つのロープ接合部１０５，２０５，３０５の間で延びていて、そして第１網縁部１０６，２０６，３０６内に配列されている。これと同様に、第２ロープ縁部１０７’，２０７’，３０７’もこうして、第２網要素１０２，２０２，３０２のそれぞれ２つのロープ接合部１０５’，２０５’，３０５’の間で延びていて、そして第２網縁部１０６’，２０６’，３０６’内に配列されている。
【００７２】
結合用網要素１０３，２０３，３０３は、ただ１つの結合用ロープ１０８，２０８，３０８から自己完結状態で製造されていて、そして２つの結合用ロープ部分１０８ａ，２０８ａ，３０８ａ及び１０８ｂ，２０８ｂ，３０８ｂが交差する複数の結合用ロープ接合部１０９，２０９，３０９を有している。
【００７３】
第１ロープ縁部１０７，２０７，３０７は第２ロープ縁部１０７’，２０７’，３０７’に面していて、結合用ロープ１０８，２０８，３０８を用いて互いに結合されている。
【００７４】
第１網要素１０１，２０１，３０１の第１ロープ縁部１０７，２０７，３０７及び第２網要素１０２，２０２，３０２の第２ロープ縁部１０７’，２０７’，３０７’と、結合用ロープ１０８，２０８，３０８との結合は、結合されたロープ縁部１０７，１０７’，２０７，２０７’，３０７，３０７’のそれぞれのロープ接合部１０５，１０５’，２０５，２０５’，３０５，３０５’間にそれぞれ位置する結合点１１０，２１０，３１０で実現される。
【００７５】
図示の実施態様では、それぞれ全ての第１ロープ縁部１０７，２０７，３０７は、結合用ロープ１０８，２０８，３０８を用いて、第１ロープ縁部１０７，２０７，３０７と向き合って位置するそれぞれの第２ロープ縁部１０７’，２０７’，３０７’に結合されている。第１網要素１０１，２０１，３０１の全ての第１ロープ縁部１０７，２０７，３０７、及び第２網要素１０２，２０２，３０２の全ての第２ロープ縁部１０７’，２０７’，３０７’はここでは結合用ロープ１０８，２０８，３０８に、ルーピングによって結合点１１０，２１０，３１０で結合されている。
【００７６】
或いは、第１網要素の全ての第１ロープ縁部、及び第２網要素の第２ロープ縁部は結合用ロープに、溶接によって、ガイド手段を用いて、且つ／又は加圧又はクランピング手段（図示せず）を用いて結合することもできる。
【００７７】
第１網要素１０１，２０１，３０１及び／又は第２網要素１０２，２０２，３０２のロープ１０４，１０４’，２０４，２０４’，３０４，３０４’及び／又は結合用網要素１０３，２０３，３０３の結合用ロープ１０８，２０８，３０８は好ましくはステンレス鋼ワイヤから製造される。
【００７８】
ロープ１０４，１０４’，２０４，２０４’，３０４，３０４’の交差ロープ部分１０４ａ，２０４ａ，３０４ａ及び１０４ｂ，２０４ｂ，３０４ｂは、クロス・クランプ１１３，２１３，３１３によって、接合部１０５，１０５’，２０５，２０５’，３０５，３０５’で結合される。同様に、結合用ロープ１０８，２０８，３０８の交差結合用ロープ部分１０８ａ，２０８ａ，３０８ａ及び１０８ｂ，２０８ｂ，３０８ｂも、クロス・クランプ１１４，２１４，３１４によって、結合用ロープ接合部１０９，２０９，３０９で結合される。
【００７９】
図１に示された第１実施態様の場合、第１網要素１０１と第２網要素１０２とは、サイズ及び形状に関して同一構造で製造されている。第１網要素１０１及び第２網要素１０２の図示の形状は、斜め格子又はCurryグリッドとして当業者に知られている。さらに、これらはそれぞれ、安全網１００の長手方向Ｌにおいて９行（Ｒ）のロープ接合部１０５，１０５’を有していて、そして長手方向Ｌに対して垂直に延びる、安全網１００の横方向Ｑにおいて、それぞれ５列（Ｓ）のロープ接合部１０５，１０５’を有している。
【００８０】
対照的に、結合用網要素１０３は、安全網１００の横方向Ｑにおいて配列された、ただ１列（Ｓ）の結合用ロープ接合部１０９を有するように製造されている。
【００８１】
結合用ロープ１０８の２つの端部は、これらが向き合って互いにオーバラップし、フェルール１１２によってこれらのオーバラップ領域１１１内で永久結合されるように配列されている。同様に、網要素のロープの端部も互いに永久結合することができる（図示せず）。
【００８２】
図２に示された安全網２００の第２実施態様の場合、第１網要素２０１と第２網要素２０２の双方と結合用網要素２０３とは、サイズ及び形状に関して同一構造で製造されており、好ましくはそれぞれただ１つのロープから製造されている。
【００８３】
第１網要素２０１及び第２網要素２０２はそれぞれ、安全網２００の横方向Ｑにおいて配列された、ただ１列（Ｓ）のロープ接合部２０５，２０５’を有している。同様に、結合用網要素２０３も、安全網２００の横方向Ｑにおいて配列された、ただ１列（Ｓ）の結合用ロープ接合部２０９を有するように製造されている。
【００８４】
ロープ（２０４，２０４’）のそれぞれの端部及び結合用ロープ１０８のそれぞれの端部は、これらが向き合って互いにオーバラップし、フェルール２１２によってこれらのオーバラップ領域２１１内で永久結合されるように配列されている。
【００８５】
図３に示された第３実施態様の場合、第１網要素３０１と第２網要素３０２の双方と第３結合用網要素３０３とは、ここでもまたサイズ及び形状に関して同一構造で製造されており、好ましくはそれぞれただ１つのロープから製造されている。第１網要素３０１、第２網要素３０２、及び結合用網要素３０３の図示の形状は、斜め格子又はCurryグリッドとして当業者に知られている。第１網要素３０１及び第２網要素３０２はそれぞれ、長手方向Ｌにおいて９行（Ｒ）のロープ接合部３０５，３０５’を有していて、そして安全網３００の横方向Ｑにおいて、それぞれ５列（Ｓ）のロープ接合部３０５，３０５’を有している。同様に、結合用網要素３０３も、長手方向Ｌにおいて９行（Ｒ）の結合用ロープ接合部３０９を有していて、そして安全網３００の横方向Ｑにおいて、それぞれ５列（Ｓ）の結合用ロープ接合部３０９を有している。
【００８６】
ロープ３０４，３０４’のそれぞれの端部、及び結合用ロープ３０８のそれぞれの端部はそれぞれ永久結合されている。
【００８７】
或いは、第１網要素及び／又は第２網要素及び／又は結合用網要素はそれぞれ、複数のロープ、又は結合用ロープから個々に製造することもできる（図示せず）。
【００８８】
加えて、接合部におけるロープの交差ロープ部分及び／又は結合用ロープ接合部における結合用ロープの交差結合用ロープ部分の一部だけ、例えば半分だけが、クランプ、具体的にはクロス・クランプ、及び／又はフェルールによって、且つ／又は溶接によって結合されることも可能である（図示せず）。
【００８９】
１実施態様（図示せず）によれば、第１網要素及び／又は第２網要素及び／又は結合用網要素は異なる高さを有することができる。このことは、網要素及び／又は結合用網要素が安全網の長手方向において、異なる行数の接合部を有し得ることを意味する。安全網を局地的条件に特に良好に適応させることが可能になる。
【００９０】
別の実施態様（図示せず）によれば、第１網要素と第２網要素とは、高さ及び形状に関して同一構造で製造することができるが、しかしこれらは異なる長さを有することができる。このことは、２つの網要素が安全網の長手方向において等しい行数の接合部を有することを意味する。安全網の横方向において、第１網要素の接合部の列数は、第２網要素と同じである必要はない。
【図１】
2013199828.tif 000003
【図２】
2013199828.tif 000004
【図３】
2013199828.tif 000005
【外国語明細書】
2013199828000001.pdf